(57)【特許請求の範囲】
【請求項１】
前面を備えた箱状に形成され前記前面に打面が形成された打楽器の前側に配置され足の操作で前記打楽器を演奏するための打楽器用フットペダルであって、
足の裏面における少なくとも踵側部分を載せるための底面部を備えた操作部と、前記操作部の後部側から上方に延びる打面対向部とからなるペダル本体と、
前記打面対向部の後面または前記後面に形成された支持部に取り付けられたビーターと、
前記操作部を足に着脱自在に固定するための固定部と
を備えたことを特徴とする打楽器用フットペダル。
【請求項２】
前記操作部を、前記底面部と前記底面部の左右両側の縁部からそれぞれ上方に突出した外側部とからなり少なくとも前端部から中央側にかけての部分が左右に分岐された弾性片で構成した請求項１に記載の打楽器用フットペダル。
【請求項３】
前記固定部を、面ファスナー部を備えた帯状部材で構成した請求項１または２に記載の打楽器用フットペダル。
【請求項４】
前面を備えた箱状に形成され前記前面に打面が形成された打楽器の前側に配置され足の操作で前記打楽器を演奏するための打楽器用フットペダルであって、
床面に置かれるベース部と、
前記ベース部の前部に前端側部分を中心として上下に回転自在に組み付けられた操作部と、
前記ベース部の後部に下端側部分を中心として前後に回転自在に組み付けられた打面対向部と、
前部が前記操作部の後部に回転自在に組み付けられ、後部が前記打面対向部の下部における前記ベース部と前記打面対向部との連結部よりも上方部分に回転自在に組み付けられたリンク部と、
前記ベース部の前部または中央部と、前記リンク部の後部または前記打面対向部の下部とに掛け渡されて、前記操作部と前記リンク部との連結部を上方に付勢するとともに、前記打面対向部の上部を前方に付勢するバネ部材と、
前記打面対向部の後面に取り付けられたビーターと
を備えたことを特徴とする打楽器用フットペダル。
【請求項５】
前記ベース部と前記操作部とを着脱可能にし、前記ベース部と前記操作部との係合を解除することにより、前記ベース部の上方に前記操作部と前記リンク部を位置させ、前記操作部と前記リンク部の上方に前記打面対向部を位置させた状態に積み重ねることができるようにした請求項４に記載の打楽器用フットペダル。
【請求項６】
前記ベース部の後部に、前記打楽器の前面下部に当接するストッパーを設けた請求項４または５に記載の打楽器用フットペダル。
【請求項７】
前記打楽器がカホンである請求項１ないし６のうちのいずれか一つに記載の打楽器用フットペダル。
【発明の詳細な説明】
【技術分野】
【０００１】
本発明は、前面に打面が形成された打楽器の前側に配置され足の操作で打楽器を演奏するための打楽器用フットペダルに関する。
【背景技術】
【０００２】
従来から、前面に打面が形成された打楽器として、例えば、カホンが用いられている。このカホンは、四角箱状に形成されており、演奏者は、カホンの上面に座り、手で打面を叩くことにより、打音を発生させて演奏することができる。このようなカホンの中には、打面を手で叩くだけでなく、フットペダルを用いて足でも演奏できるようにしたものがある（例えば、特許文献１参照）。このカホンのフットペダルとしては、従来からバスドラムに使用されているフットペダル装置が用いられており、このフットペダル装置は、カホンに着脱可能に固定されたフットペダルアダプタを介してカホンに固定されている。
【先行技術文献】
【特許文献】
【０００３】
【特許文献１】実用新案登録第３１５８６７８号公報
【発明の概要】
【０００４】
しかしながら、前述したフットペダル装置は、後面に打面が形成されたバスドラムの後方に設置されて、前方に位置するバスラムの打面を叩くように構成されているため、前面に打面が形成された打楽器の前側に配置して足で操作するには不向きである。また、前述したフットペダル装置は、構造が複雑で高価につく上、使用の際には、フットペダルアダプタも必要になるという問題がある。
【０００５】
本発明は、前述した問題に対処するためになされたもので、その目的は、前面に打面が形成された打楽器の前側に配置して足で操作することに適し、構造が簡単であるとともに、フットペダルアダプタのような装置が不要になる打楽器用フッドペダルを提供することである。なお、下記本発明の各構成要件の記載においては、本発明の理解を容易にするために、実施形態の対応箇所の符号を括弧内に記載しているが、本発明の構成要件は、実施形態の符号によって示された対応箇所の構成に限定解釈されるべきものではない。
【０００６】
前述した目的を達成するため、本発明に係る打楽器用フッドペダルの構成上の特徴は、前面を備えた箱状に形成され前面に打面（１９ｃ）が形成された打楽器（１９）の前側に配置され足（Ｆ）の操作で打楽器を演奏するための打楽器用フットペダル（１０）であって、足の裏面における少なくとも踵側部分を載せるための底面部（１１，２１）を備えた操作部と、操作部の後部側から上方に延びる打面対向部（１４，２４）とからなるペダル本体（１０ａ，２０ａ）と、打面対向部の後面または後面に形成された支持部（２４ｂ）に取り付けられたビーター（１６，２６）と、操作部を足に着脱自在に固定するための固定部（１７，１８）とを備えたことにある。
【０００７】
本発明に係る打楽器用フッドペダルは、ペダル本体と、ペダル本体に取り付けられたビーターと、固定部とで構成されており、ペダル本体は、足で操作するための操作部と、ビーターが取り付けられる打面対向部からなっている。そして、打楽器用フッドペダルは、固定部で操作部を足に着脱自在に固定することにより演奏者の足に取り付けられる。このため、演奏者は、打楽器の前に、打楽器用フッドペダルとともに足を位置させて足の踵側を上下させることにより、ビーターを打楽器の打面に衝突させることができ、これをリズムに合わせて繰り返すことで打楽器を演奏することができる。
【０００８】
このように、本発明に係る打楽器用フッドペダルは、全体が演奏者の足と一体になって移動するため、前面に打面が形成された打楽器の前側に位置させて足で操作することに適している。また、構造が単純で安価につくという効果も生じる。さらに、打楽器用フッドペダルは、固定部によって演奏者の足に固定されるため、打楽器用フッドペダルを打楽器に固定するための装置は不要になる。なお、本発明における足は、素足でも、靴を履いた状態の足でもよい。また、ビーターは、打面対向部の高さを高くして、打面対向部の後面に取り付けてもよいし、打面対向部の高さを低くして、打面対向部の上部側に取り付けてもよい。ビーターを打面対向部の上部側に取り付ける場合には、直接取り付けてもよいし、棒状または板状の部材を介して取り付けてもよい。また、ビーターは、打面対向部に対して着脱可能にすることが好ましい。
【０００９】
本発明に係る打楽器用フッドペダルの他の構成上の特徴は、操作部を、底面部と底面部の左右両側の縁部からそれぞれ上方に突出した外側部（１５ａ，１５ｂ，２５ａ，２５ｂ）とからなり少なくとも前端部から中央側にかけての部分が左右に分岐された弾性片で構成したことにある。
【００１０】
本発明によると、演奏者は、外側部によって足が操作部から横ずれすることを防止した状態で足を底面部に載せることができる。また、操作部が少なくとも前端部から中央側にかけての部分が左右に分岐された弾性片で構成されているため、操作部の幅を演奏者の足の大きさに合わせて広げたり狭めたりすることができる。このため演奏者が代わったり、演奏者が履く靴の大きさが変わったりしても、操作部を演奏者の足に合わせて打楽器用フッドペダルを足に固定することができる。
【００１１】
本発明に係る打楽器用フッドペダルのさらに他の構成上の特徴は、固定部を、面ファスナー部（１７ｂ，１８ｂ）を備えた帯状部材（１７ａ，１８ａ）で構成したことにある。
【００１２】
本発明によると、打楽器用フッドペダルの演奏者の足への着脱が容易になる。この場合の面ファスナー部を備えた帯状部材としては、一端がペダル本体の左右にそれぞれ連結された一対のもので構成し、左右から足の甲に巻き付けて他端どうしを連結できるようにしたものや、一本の帯状のもので構成し、底面部の下面から足の甲に巻き付けて端部どうしを連結できるようにしたものなどを用いることができる。
【００１３】
本発明に係る打楽器用フッドペダルの他の構成上の特徴は、前面を備えた箱状に形成され前面に打面（１９ｃ）が形成された打楽器（１９）の前側に配置され足の操作で打楽器を演奏するための打楽器用フットペダル（３０）であって、床面に置かれるベース部（３１）と、ベース部の前部に前端側部分を中心として上下に回転自在に組み付けられた操作部（３４）と、ベース部の後部に下端側部分を中心として前後に回転自在に組み付けられた打面対向部（３５）と、前部が操作部の後部に回転自在に組み付けられ、後部が打面対向部の下部におけるベース部と打面対向部との連結部よりも上方部分に回転自在に組み付けられたリンク部（３６）と、ベース部前部または中央部と、リンク部の後部または打面対向部の下部とに掛け渡されて、操作部とリンク部との連結部を上方に付勢するとともに、打面対向部の上部を前方に付勢するバネ部材（３７）と、打面対向部の後面に取り付けられたビーター（３８）とを備えたことにある。
【００１４】
本発明に係る打楽器用フットペダルは、ベース部と、打面対向部と、操作部と、リンク部とを備えており、これらの部材でリンク機構が形成されている。そして、操作部とリンク部との連結部を上方に付勢するとともに、打面対向部の上部を前方に付勢するようにして、ベース部と、リンク部または打面対向部にバネ部材を掛け渡し、打面対向部の後面または上部側にビーターを取り付けている。このため、演奏者は、打楽器の前に、打楽器用フットペダルを置き足で操作部を踏みつけることにより、ビーターを打楽器の打面に衝突させることができ、これをリズムに合わせて繰り返すことで打楽器を演奏することができる。
【００１５】
この場合、演奏者が操作部を踏みつけると、操作部とリンク部の連結部が下降して操作部とリンク部が側方から見た状態で直線状に近づくことで打面対向部の上部が打楽器の打面側に移動する。このとき、打楽器用フッドペダルは、打楽器側に移動しようとするため、打楽器用フッドペダルを打楽器に固定しなくても、打楽器用フッドペダルが打楽器から離れる方向に移動することはない。このため、打楽器用フッドペダルを打楽器に固定するための装置は不要である。また、この打楽器用フッドペダルによっても、構造が単純で安価につくという効果が生じる。
【００１６】
本発明に係る打楽器用フッドペダルのさらに他の構成上の特徴は、ベース部と操作部とを着脱可能にし、ベース部と操作部との係合を解除することにより、ベース部の上方に操作部とリンク部を位置させ、操作部とリンク部の上方に打面対向部を位置させた状態に積み重ねることができるようにしたことにある。
【００１７】
本発明によると、打楽器用フッドペダルをコンパクトに折り畳むことができるため、不使用時の保管や、持ち運びが容易になる。また、ベース部と操作部との係合は、例えば、ベース部と操作部との一方に棒状の係合部を設け、他方にその棒状の係合部に着脱可能に係合できるフックを設けることで可能になる。
【００１８】
本発明に係る打楽器用フッドペダルのさらに他の構成上の特徴は、ベース部の後部に、打楽器の前面下部に当接するストッパー（３２ｄ）を設けたことにある。本発明によると、ベース部の後端が打楽器に強く衝突して打楽器を損傷させることを防止できる。
【００１９】
本発明に係る打楽器用フッドペダルのさらに他の構成上の特徴は、打楽器がカホンであることにある。本発明によると、演奏者は、カホンの上面に座り、手で打面を叩くことで打音を発生させるとともに、足の操作でビーターを打面に打ち付けることでも打音を発生させることができる。
【図面の簡単な説明】
【００２０】
【図１】本発明の第一実施形態に係る打楽器用フッドペダルを示した斜視図である。
【図２】ビーターが取り付けられたペダル本体を後側下方から見た状態を示した斜視図である。
【図３】ビーターが取り付けられたペダル本体を前側上方から見た状態を示した斜視図である。
【図４】演奏者の足に打楽器用フッドペダルを固定する状態を示した斜視図である。
【図５】カホンを示しており、（ａ）は正面図、（ｂ）は後方から見た斜視図である。
【図６】打楽器用フッドペダルでカホンを演奏する状態を示した側面図である。
【図７】打楽器用フッドペダルでカホンを演奏する状態を示した斜視図である。
【図８】変形例に係る打楽器用フッドペダルの要部を示した斜視図である。
【図９】図８に示した打楽器用フッドペダルの不使用時の状態を示した斜視図である。
【図１０】本発明の第二実施形態に係る打楽器用フッドペダルを示した斜視図である。
【図１１】図１０に示した打楽器用フッドペダルの側面図である。
【図１２】図１１に示した打楽器用フッドペダルの断面図である。
【図１３】バネ部材の組み付け状態を示した斜視図である。
【図１４】第二実施形態に係る打楽器用フッドペダルでカホンを演奏する状態を示した斜視図である。
【図１５】第二実施形態に係る打楽器用フッドペダルのベース部と操作部との係合を解除した状態を示した斜視図である。
【図１６】第二実施形態に係る打楽器用フッドペダルを折り畳んだ状態を示した斜視図である。
【発明を実施するための形態】
【００２１】
（第一実施形態）
以下、本発明の第一実施形態を図面を用いて説明する。図１は、同実施形態に係る打楽器用フッドペダル１０を示している。この打楽器用フッドペダル１０は、ペダル本体１０ａと、ビーター１６と、二つの固定部１７，１８で構成されている。ペダル本体１０ａは、一枚の金属板の所定部分を切断するとともに折り曲げることによって、図２および図３に示したように形成されており、底面部１１と、打面対向部１４と、一対の外側部１５ａ，１５ｂとで構成されている。以下の説明においては、前後左右の各方向を演奏者の位置を基準として、打面対向部１４が位置する方を後方とし、図１の左斜め上方が右側で、右斜め下方が左側とする。
【００２２】
底面部１１は、左右に間隔を保って配置された状態で前後に延びる一対の足載せ部１２，１３と、足載せ部１２，１３の後端からそれぞれ上方に突出する足用ストッパー１２ａ，１３ａで構成されている。足載せ部１２，１３（底面部１１）の左右の外側部間の長さは、大人が靴を履いた状態の足Ｆ（図４参照）の幅の最大部分の長さ程度、例えば、１２ｃｍに設定され、足載せ部１２，１３の前後方向の長さは、足Ｆの前後方向の長さよりも短く、例えば１８ｃｍ程度に設定されている。また、足用ストッパー１２ａ，１３ａの左右の幅は足載せ部１２，１３の幅よりも僅かに短く、例えば４ｃｍに設定され、足用ストッパー１２ａ，１３ａの高さは、３ｃｍ程度に設定されている。足載せ部１２の前部と後部には、それぞれ上下に貫通して前後に延びるスリット１２ｂ，１２ｃが形成され、足載せ部１３の前部と後部には、それぞれ上下に貫通して前後に延びるスリット１３ｂ，１３ｃが形成されている。
【００２３】
打面対向部１４は、幅が足載せ部１２，１３の外側部間の長さと同じで、高さが足載せ部１２，１３の前後方向の長さよりも少し長く設定された矩形に形成されている。また、打面対向部１４の下部と足載せ部１２，１３の後端部との間には足用ストッパー１２ａ，１３ａの高さよりも少し長い間隔の隙間が形成されている。そして、打面対向部１４の上部には、前後に貫通するネジ挿通穴（図示省略）が形成されている。
【００２４】
外側部１５ａ，１５ｂはともに側方から見た形状がＬ形に形成されており、外側部１５ａは、足載せ部１２の左縁部から上方に突出するとともに、打面対向部１４の左縁部から前方に突出し、外側部１５ｂは、足載せ部１３の右縁部から上方に突出するとともに、打面対向部１４の右縁部から前方に突出している。なお、足載せ部１２と外側部１５ａの下部および足載せ部１３と外側部１５ｂの下部で本発明に係る弾性片が構成され、この弾性片と足用ストッパー１２ａ，１３ａで本発明に係る操作部が構成される。
【００２５】
ビーター１６は、プラスチックの成形体からなっており、前方から後方に行くほど徐々に細径になった円錐台形体の中央に、前部よりも後部が大径になった段違いのネジ挿通穴１６ａを形成した形状をしている。そして、ビーター１６は、ネジ挿通穴１６ａの細径側を打面対向部１４のネジ挿通穴に合わせた状態で、打面対向部１４の後面に配置され、ネジ１４ａをネジ挿通穴１６ａの大径側から打面対向部１４のネジ挿通穴に通してネジ１４ａの頭部をネジ挿通穴１６ａの段部に係合させた状態で、ネジ１４ａの先端にナット１４ｂを螺合させることにより、打面対向部１４に固定されている。なお、ビーター１６を構成する材料としては、プラスチックに代えて、フェルト、木材、ウレタンゴム等を用いてもよい。
【００２６】
固定部１７，１８は、ともにスリット１２ｂ，１２ｃおよびスリット１３ｂ，１３ｃを通すことのできる帯状部材で構成されている。固定部１７は、真っ直ぐに延びる布またはプラスチックからなる可撓性のベルト１７ａと、ベルト１７ａの一方の端部の一方の面に形成されたオス面とベルト１７ａの他方の端部の他方の面に形成されたメス面とからなる面ファスナー部１７ｂで構成されている。この固定部１７は、図４に示したように、足Ｆの中央よりも少し前部側をペダル本体１０ａの前端部分とともに巻き付けることのできる長さに形成されている。固定部１８は、布またはプラスチックからなるベルト１８ａと、ベルト１８ａの一方の端部の一方の面に形成されたオス面とベルト１８ａの他方の端部の他方の面に形成されたメス面とからなる面ファスナー部１８ｂで構成されている。
【００２７】
ベルト１８ａは、真っ直ぐの帯状に形成されたものでもよいし、中央側の長さが１２ｃｍよりも僅かに長い部分と、その両側に位置し、中央部分から屈曲して斜め前方に延びる部分とで構成されたものでもよい。そして、固定部１８は、足Ｆの甲の後部側と踵側部分との間をペダル本体１０ａの下部の後側部分とともに巻き付けることのできる長さに形成されている。固定部１７は、両端部を、上方からそれぞれスリット１２ｂとスリット１３ｂに通し、足載せ部１２，１３の底面から外側部１５ａ，１５ｂの外面側に延ばすことにより、ペダル本体１０ａに組み付けられ、固定部１８は、両端部を、上方からそれぞれスリット１２ｃとスリット１３ｃに通し、足載せ部１２，１３の底面から外側部１５ａ，１５ｂの外面側に延ばすことにより、ペダル本体１０ａに組み付けられている。
【００２８】
このように構成された打楽器用フッドペダル１０は、図４に示したように足Ｆに固定される。この場合、足Ｆの後部を足用ストッパー１２ａ，１３ａに押し付けた状態で、足Ｆの前部側と後部側にそれぞれ固定部１７，１８を巻き付け、面ファスナー部１７ｂ，１８ｂのオス面とメス面を押さえつけて係合させることで、打楽器用フッドペダル１０は、足Ｆに固定される。そして、このようにして足Ｆに取り付けられた打楽器用フッドペダル１０を用いて、図５（ａ），（ｂ）に示したカホン１９の演奏が行われる。
【００２９】
カホン１９は、矩形箱状のカホン本体１９ａの下面の四隅にゴム足１９ｂを固定して構成されており、前面に打面１９ｃが形成され、後面には円形の空気抜け穴１９ｄが形成されている。このカホン１９は、上面に演奏者が座った状態で、演奏者が手で打面１９ｃを叩くとともに、足Ｆで打楽器用フッドペダル１０を操作して打面１９ｃを打撃することで演奏され、打面１９ｃの中央部分を打撃することにより低音が発生し、打面１９ｃの上部側部分を打撃することにより高音が発生する。
【００３０】
打楽器用フッドペダル１０によるカホン１９の演奏は、図６および図７に示したように、足Ｆのつま先を床面につけたまま、踵側を上下動させることによって行われる。この足Ｆの操作によって、ビーター１６は、打面１９ｃに繰り返し衝突しカホン１９はリズム音を発生する。そして、演奏が終了し、打楽器用フッドペダル１０をカホン１９とともに持ち運ぶときには、打楽器用フッドペダル１０を空気抜け穴１９ｄからカホン１９の内部に入れることができる。これによると、持ち運びの際に打楽器用フッドペダル１０が嵩張ることがなくなる。
【００３１】
以上のように、本実施形態に係る打楽器用フッドペダル１０によると、演奏者は、カホン１９の上面に座り、カホン１９の前に足Ｆを位置させて踵を上下させることにより、ビーター１６をカホン１９の打面１９ｃに衝突させることができ、これをリズムに合わせて繰り返すことでカホン１９を演奏することができる。その際、打楽器用フッドペダル１０が演奏者の足Ｆと一体になって移動するため、前面に打面１９ｃが形成されたカホン１９の演奏が容易になる。また、この打楽器用フッドペダル１０によると、構造が単純で安価につくという効果も生じる。
【００３２】
さらに、本実施形態に係る打楽器用フッドペダル１０では、操作部を、足載せ部１２，１３と足用ストッパー１２ａ，１３ａからなる底面部１１と、外側部１５ａ，１５ｂの下部とで構成している。このため、足Ｆの後部を足用ストッパー１２ａ，１３ａに当てた状態で、二つの固定部１７，１８で足Ｆにペダル本体１０ａを固定することで、足Ｆに対して打楽器用フッドペダル１０が前後左右のどの方向にも位置ずれしないようにすることができる。
【００３３】
また、足載せ部１２，１３と外側部１５ａ，１５ｂの下部とからなる弾性片が弾性を備えているため、外側部１５ａ，１５ｂの下部の間隔が足Ｆの幅よりも狭い場合には、弾性片の左右の間隔を広げて、足Ｆに打楽器用フッドペダル１０を固定することができる。一方、外側部１５ａ，１５ｂの間隔が足Ｆの幅よりも広い場合には、弾性片の左右の間隔を狭めた状態で固定部１７，１８で締め付けることにより足Ｆに合わせた状態で打楽器用フッドペダル１０を固定することができる。このように、打楽器用フッドペダル１０では、足Ｆの大きさに合わせて足載せ部１２，１３の間隔を調整することができる。さらに、固定部１７，１８を、ベルト１７ａ，１８ａと、ベルト１７ａ，１８ａの端部にそれぞれ設けられた面ファスナー部１７ｂ，１８ｂで構成したため、打楽器用フッドペダル１０の足Ｆへの着脱が容易になる。
【００３４】
（変形例）
図８は、前述した第一実施形態の変形例に係る打楽器用フッドペダルの要部を示している。この打楽器用フッドペダルは、ペダル本体２０ａと、ビーター２６と、二つの固定部（図示せず）で構成されており、ペダル本体２０ａは、底面部２１と、打面対向部２４と、一対の外側部２５ａ，２５ｂとで構成されている。また、底面部２１は、一対の足載せ部２２，２３と、足用ストッパー２２ａ，２３ａで構成されている。
【００３５】
足載せ部２２の前部と後部には、それぞれスリット（図示せず）が形成され、スリット２２ｂ，２２ｃの間にペダル本体２０ａを軽量化するための穴部２２ｄ（図９参照）が形成されている。同様に、足載せ部２３の前部と後部には、それぞれスリット２３ｂ，２３ｃが形成され、スリット２３ｂ，２３ｃの間にペダル本体２０ａを軽量化するための穴部２３ｄが形成されている。すなわち、底面部２１は、穴部２２ｄ，２３ｄが形成されていること以外は、底面部１１と同じ構成になっている。このため、底面部２１の詳しい説明は省略する。
【００３６】
打面対向部２４は、幅が足載せ部２２，２３の外側部間の長さと同じで、高さが足載せ部２２，２３の前後方向の１／３程度の矩形の枠状に形成されている。そして、打面対向部２４の後面の上部には、上下に延びる軸挿通穴２４ａを備えた軸支持部２４ｂが形成されており、軸挿通穴２４ａの上下方向の中央部分と打面対向部２４の上部の前面との間には、ネジ穴が貫通している。このネジ穴には、蝶ネジ２４ｃが螺合している。また、打面対向部２４の下部には、前後に貫通する穴部２４ｄが形成されており、この穴部２４ｄの直径と、軸挿通穴２４ａの直径は略同じに設定されている。打面対向部２４の下部と足載せ部２２，２３の後端部との間には蝶ネジ２４ｃの頭部の前後方向の長さよりも長い間隔の隙間が形成されている。
【００３７】
外側部２５ａは、足載せ部２２の左縁部から上方に突出するとともに、打面対向部２４の左縁部から前方に突出し、外側部２５ｂは、足載せ部２３の右縁部から上方に突出するとともに、打面対向部２４の右縁部から前方に突出している。ビーター２６は、略円柱状のビーター本体２６ａと、ビーター本体２６ａの下部から下方に延びる支持棒２６ｂで構成されており、支持棒２６ｂの直径は、軸挿通穴２４ａと穴部２４ｄとに挿通できる長さに設定されている。ビーター２６は、支持棒２６ｂを上方から軸挿通穴２４ａに通し、蝶ネジ２４ｃを締め付けることによって軸支持部２４ｂに固定されており、軸支持部２４ｂに対する支持棒２６ｂの位置を変更することで、ビーター本体２６ａの高さを調節できる。また、ビーター本体２６ａを構成する材料としても、プラスチック、フェルト、木材、ウレタンゴム等を用いることができる。
【００３８】
このように構成されたペダル本体２０ａには、前述した固定部１７，１８が取り付けられる。そして、この変形例に係る打楽器用フッドペダルは、前述した打楽器用フッドペダル１０と同じ方法で演奏に用いられる。また、演奏が終了した場合には、ビーター２６を軸支持部２４ｂから取り外して、図９に示したようにコンパクトにすることができる。この場合、まず、蝶ネジ２４ｃを緩めた後に、ビーター２６を上方に引き上げて、支持棒２６ｂを軸挿通穴２４ａから抜く。そして、支持棒２６ｂを後方から穴部２４ｄに挿し込んで、打面対向部２４に支受させる。これによって、打楽器用フッドペダルは小さくなって嵩張ることがなくなる。また、この打楽器用フッドペダルをカホン１９とともに、持ち運ぶときには、図９の状態の打楽器用フッドペダルを空気抜け穴１９ｄからカホン１９の内部に入れることができる。
【００３９】
以上のように、この変形例に係る打楽器用フッドペダルによると、ビーター本体２６ａの高さを任意の高さに調節することができる。また、演奏が終了したのちには、コンパクトにした状態で持ち運びができる。さらに、蝶ネジ２４ｃの頭部が打面対向部２４の前面側に位置しているが、打面対向部２４の下部と足載せ部２２，２３の後端部との間には蝶ネジ２４ｃの頭部が邪魔にならない程度の隙間が形成されているため、蝶ネジ２４ｃが演奏の妨げになることはない。この打楽器用フッドペダルのそれ以外の作用効果は、前述した打楽器用フッドペダル１０と同様である。
【００４０】
（第二実施形態）
図１０ないし図１２は、本発明の第二実施形態に係る打楽器用フッドペダル３０を示している。この打楽器用フッドペダル３０は、ペダル本体３０ａと、バネ部材３７と、ビーター３８で構成されている。ペダル本体３０ａは、それぞれ金属板を加工して形成された、ベース部３１と、操作部３４と、打面対向部３５と、リンク部３６とで構成されており、これらの部材でリンク機構が形成されている。
【００４１】
ベース部３１は、左右の幅よりも前後の長さが長い平板状の水平基板３１ａの上面に支持部３２を固定して形成されている。支持部３２は、後端部を水平基板３１ａの後端部よりも少し後方に突出させた枠状底部３２ａと、枠状底部３２ａの左右両側における後部側を除いた縁部からそれぞれ上方に突出する一対の外側部３３を備えている。枠状底部３２ａの左右の部分には、前後に間隔を保って複数の補強部３２ｂが掛け渡されており、枠状底部３２ａの中央側に位置する補強部３２ｂの前部からは、係合穴を備えた係合片３２ｃが上方に向かって突出している。また、枠状底部３２ａの後部側に位置する補強部３２ｂの後部における外側部３３の後端よりも少し後方には、上方に向かって突出するストッパー３２ｄが設けられている。
【００４２】
一対の外側部３３は、それぞれ後部にネジ穴が形成され、このネジ穴にネジ３９ａが頭部を外側に位置させて螺合している。また、一対の外側部３３の前部側上部には、それぞれ外側部３３の上縁部から前方斜め下方に延びた後に屈曲して前方に延びる切欠き係合部３３ａが形成されている。そして、一対の外側部３３の上縁部の中央部分に、縁部がＵ字状になった切欠き部３３ｂが形成され、その後方にも、切欠き部３３ｂと同形の切欠き部３３ｃが形成されている。
【００４３】
操作部３４は、足載せ部３４ａと、足載せ部３４ａの左右両側から下方に突出した一対の外側部３４ｂで構成されている。足載せ部３４ａは、足Ｆのつま先側を除いた中央側から踵部分を載せることができる大きさの平板に左右二列で前後に複数並んだ滑り止め用の穴部３４ｃを形成した形状に形成されている。一対の外側部３４ｂのそれぞれ前部と後部にはネジ穴が形成さており、各ネジ穴にネジ３９ｂ，３９ｃが頭部を外側に位置させて螺合している。一対の外側部３４ｂのそれぞれ前部に取り付けられたネジ３９ｂは、頭部と外側部３４ｂの外面との間に隙間を設けた状態で固定されている。そして、操作部３４は、前部を一対の外側部３３間に位置させ、ネジ３９ｂの胴部を切欠き係合部３３ａに着脱可能に係合させた状態で、ベース部３１に回転可能に連結されている。また、一対の外側部３４ｂのそれぞれ後部に取り付けられたネジ３９ｃの頭部は、切欠き部３３ｂ内に入ることができる大きさに形成されている。
【００４４】
打面対向部３５は、図１０ないし図１２の状態で、上端が下端よりも前方に位置するように斜めに配置されたビーター取付部３５ａと、ビーター取付部３５ａの左右両側から前方の斜め下方に突出した一対の外側部３５ｂで構成されている。ビーター取付部３５ａは、足載せ部３４ａよりも、幅、前後の長さともに僅かに長い平板に横長の穴部３５ｃを上下に複数形成した形状に形成されている。一対の外側部３５ｂのそれぞれ下端近傍にはネジ挿通穴（図示せず）が形成されており、打面対向部３５は、下部を一対の外側部３３間に位置させ、ネジ挿通穴に、ネジ３９ａを挿通させることによって、ベース部３１に回転可能に連結されている。
【００４５】
また、一対の外側部３５ｂにおけるネジ挿通穴の少し上方部分には、それぞれネジ穴が形成され、このネジ穴にネジ３９ｄが頭部を外側に位置させて螺合している。一対の外側部３５ｂのそれぞれのネジ挿通穴とネジ穴との間隔は、一対の外側部３３のそれぞれのネジ挿通穴と切欠き部３３ｃとの間隔と同じに設定されており、操作部３４をベース部３１から取り外した状態で、打面対向部３５をベース部３１側に回転していくと、ネジ３９ｄの頭部は、切欠き部３３ｃ内に入る。
【００４６】
リンク部３６は、操作部３４の後部と、打面対向部３５の下部側部分とに掛け渡されており、図１０ないし図１２の状態で、前端が後端よりも少し上方に位置するように配置されている。このリンク部３６は、リンク本体３６ａと、リンク本体３６ａの左右両側から斜め上方に突出した一対の外側部３６ｂで構成されている。リンク本体３６ａは、足載せ部３４ａよりも左右の幅が少し狭く、前後の長さも足載せ部３４ａよりも短くなった平板に穴部３４ｃと左右の幅が同じで前後方向の長さが長い複数の穴部３６ｃを形成した形状に形成されている。また、リンク本体３６ａの後部中央には、前後に延びる二つの係止用スリット３６ｄ（図１３参照）が前後に並んで形成されている。
【００４７】
一対の外側部３６ｂは、前後に長い四角枠状に形成されており、そのそれぞれ前部と後部にはネジ挿通穴（図示せず）が形成されている。そして、一対の外側部３６ｂは、前部を一対の外側部３４ｂ間に位置させ、前部のネジ挿通穴にネジ３９ｃを挿通させることによって、操作部３４に回転可能に連結され、後部を一対の外側部３５ｂ間に位置させ、後部のネジ挿通穴にネジ３９ｄを挿通させることによって、打面対向部３５に回転可能に連結されている。
【００４８】
また、一対の外側部３６ｂのそれぞれ前部と後部に設けられた二つのネジ挿通穴の間隔は、切欠き部３３ｂ，３３ｃの間隔と同じに設定されており、操作部３４をベース部３１から取り外した状態で、リンク部３６を打面対向部３５とともにベース部３１側に回転して、ネジ３９ｄの頭部が切欠き部３３ｃ内に入ると、ネジ３９ｃの頭部は切欠き部３３ｂ内に入る。また、ペダル本体３０ａを構成する各部材の左右方向の幅は、ベース部３１が最も広く、打面対向部３５、操作部３４、リンク部３６の順に狭くなっている。そして、打面対向部３５は一対の外側部３３間に挿入でき、操作部３４は一対の外側部３５ｂ間に挿入でき、リンク部３６は一対の外側部３４ｂ間に挿入できる。
【００４９】
ペダル本体３０ａは、このように構成されているため、図１０ないし図１２の状態から操作部３４を下方に押さえるように回転させると、リンク部３６は前部を降下させるように回転して操作部３４とリンク部３６は側方から見た状態で直線状に近づくようになる。これによって、打面対向部３５は、上部が後方に移動するように回転する。その状態から、操作部３４とリンク部３６の連結部を上方に移動させると、操作部３４とリンク部３６は側方から見た状態で山形になるように屈曲し、打面対向部３５は、上部が前方に移動するように回転する。このため、操作部３４の後部を繰り返し上下動させると、打面対向部３５は、上部を前後に移動させるように回転する。
【００５０】
バネ部材３７は、コイルバネの両端にフック状の係合部３７ａ，３７ｂを設けて形成されている。そして、バネ部材３７は、一方の係合部３７ａを、係合片３２ｃの係合穴に係合させ、他方の係合部３７ｂを、二つの係止用スリット３６ｄに係合させて、リンク部３６の後部をベース部３１の中央側（前方）に付勢している。これによって、操作部３４とリンク部３６の連結部は上方に付勢されるとともに、打面対向部３５の上部は前方に付勢される。ビーター３８は、前述した第一実施形態のビーター１６と同様の構成をしており、ネジ（図示せず）によって、打面対向部３５の後面上部に固定されている。
【００５１】
このように構成された打楽器用フッドペダル３０を、図１４に示したように用いて、カホン１９の演奏が行われる。この場合、まず、ベース部３１の後部を、カホン１９の前部側から床面とカホン１９の下端との間に挿し込んで、ストッパー３２ｄをカホン１９の前面下部に合わせる。その状態で、演奏者は、カホン１９の上面に座り、足Ｆのつま先を床につけたまま、踵側部分で操作部３４を踏みつけることを繰り返すことで、ビーター３８を打面１９ｃに繰り返し衝突させてリズム音を発生させることができる。このとき、ストッパー３２ｄがカホン１９の前面下部に当接するため、打楽器用フッドペダル３０が位置ずれすることがなく、軽快な演奏が可能になる。
【００５２】
また、演奏が終了した場合には、打楽器用フッドペダル３０をコンパクトに折り畳むことができる。この場合、まず、操作部３４の前部を後方から上方に移動させることにより、図１５に示したように、操作部３４のネジ３９ｂとベース部３１の切欠き係合部３３ａとの係合を解除させる。そして、操作部３４を前方に引っ張って、操作部３４とリンク部３６を真っ直ぐに延ばすとともに、打面対向部３５をベース部３１側に回転させて、図１６の状態にする。また、打楽器用フッドペダル３０をカホン１９とともに、持ち運ぶときには、折り畳んだ状態の打楽器用フッドペダル３０を空気抜け穴１９ｄからカホン１９の内部に入れることもできる。
【００５３】
以上のように、本実施形態に係る打楽器用フッドペダル３０によると、演奏者は、カホン１９の前に、打楽器用フッドペダル３０を置き、足Ｆで操作部３４を踏みつけることでカホン１９を演奏することができる。この場合、打楽器用フッドペダル３０は、後方に移動しようとして、ストッパー３２ｄがカホン１９の前面下部に当接するため、打楽器用フッドペダル３０をカホン１９に固定しなくても、打楽器用フッドペダル３０がカホン１９から離れる方向に移動することはない。このため、打楽器用フッドペダル３０をカホン１９に固定するための装置は不要である。また、この打楽器用フッドペダル３０によっても、構造が単純で安価につくという効果が生じる。さらに、枠状底部３２ａ、足載せ部３４ａ、ビーター取付部３５ａおよびリンク本体３６ａのそれぞれの中央側の一部を切り欠いて空間を形成しているため、打楽器用フッドペダル３０の軽量化が図れる。
【００５４】
また、本発明に係る打楽器用フッドペダルは、前述した各実施形態に限定するものでなく、適宜、変更して実施することが可能である。例えば、前述した打楽器用フッドペダル１０には、外側部１５ａ，１５ｂおよび足用ストッパー１２ａ，１３ｂが備わっているが、これらを省略して、足載せ部１２，１３の後部を打面対向部１４の下部に連結することができる。また、足載せ部１２，１３を一枚の板状に形成して、打面対向部１４と連結することもできる。さらに、固定部１７，１８をバックルを備えたベルト、紐等で構成してもよい。
【００５５】
また、変形例に係る打楽器用フッドペダルにおいては、足用ストッパー２２ａ，２３ｂを省略すること以外は、前述した打楽器用フッドペダル１０の変更と同じ変更を加えることができる。さらに、打楽器が、カホン１９以外の従来から使用されている打楽器であっても、打面を前面に位置させて使用する場合には、本発明に係る打楽器用フッドペダルを利用することができる。また、本発明に係る打楽器用フッドペダルは、前述した構成以外の部分についても、本発明の技術的範囲で、適宜変更することができる。
【符号の説明】
【００５６】
１０，３０…打楽器用フッドペダル、１０ａ，２０ａ，３０ａ…ペダル本体、１１，２１…底面部、１２，１３，２２，２３…足載せ部、１４，２４…打面対向部、１５ａ，１５ｂ，２５ａ，２５ｂ…外側部、１６，２６，３８…ビーター、１７，１８…固定部、１７ａ，１８ａ…ベルト、１７ｂ，１８ｂ…面ファスナー部、１９…カホン、１９ｃ…打面、３１…ベース部、３２ｄ…ストッパー、３４…操作部、３５…打面対向部、３６…リンク部、３７…バネ部材、Ｆ…足。
【図１】
0006422328.tif 000002
【図２】
0006422328.tif 000003
【図３】
0006422328.tif 000004
【図４】
0006422328.tif 000005
【図５】
0006422328.tif 000006
【図６】
0006422328.tif 000007
【図７】
0006422328.tif 000008
【図８】
0006422328.tif 000009
【図９】
0006422328.tif 000010
【図１０】
0006422328.tif 000011
【図１１】
0006422328.tif 000012
【図１２】
0006422328.tif 000013
【図１３】
0006422328.tif 000014
【図１４】
0006422328.tif 000015
【図１５】
0006422328.tif 000016
【図１６】
0006422328.tif 000017